(57)【要約】【課題】光ディスクなど記録媒体にレーベル印刷するディスク用プリンタ部と長尺状テープなどの被印刷媒体に印刷するテープ用プリンタ部とを備えた印刷装置であり、記録媒体表面の所定の印刷領域に印刷収容しきれない印刷データがあっても、これを自動判断して被印刷媒体に印刷し表記可能にする。【解決手段】光ディスクＤのレーベル面における所定の２つの印刷領域Ａ，Ｂに対して印刷しきれない残りの被印刷データについては、当該残りの被印刷データの印刷量に応じたラベル枚数のテープ５３への印刷として印刷出力し、例えばその１枚目のラベル５３ａと２枚目のラベル５３ｂをそれぞれ前記レーベル印刷した光ディスクＤのディスクケースに貼り付けて使用することで、当該光ディスクＤに記録された音楽アルバムデータのメインタイトルだけでなく、全ての曲目タイトルについても表記して常時確認できる。【選択図】      図８
2006110850.tif 000002
【特許請求の範囲】
【請求項１】
電子データの記録が可能であり、印刷可能な領域の大きさが定められた記録媒体の表面に直接印刷を行う機能、および長尺の被印刷媒体に沿って印刷を行う機能を有する印刷装置であって、
印刷すべきデータを記憶する記憶手段と、
前記記憶手段に記憶された前記印刷すべきデータの全てを前記記録媒体の前記領域に収容して印刷可能であるか否かを判断する判断手段と、
前記判断手段の判断が否定判断の場合に、前記印刷装置を制御して、前記印刷すべきデータのうちで前記記録媒体の前記領域内に収容して印刷可能なデータをその領域に印刷する一方、前記印刷すべきデータの全てのうちの少なくとも前記記録媒体の前記領域に収容して印刷できないデータを前記被印刷媒体に印刷する制御手段と、
を備えることを特徴とする印刷装置。
【請求項２】
前記制御手段は、前記判断手段の判断が否定判断の場合に、前記被印刷媒体に対して行う印刷では、前記印刷すべきデータの全てのうちの前記記録媒体の前記領域に収容して印刷できないデータのみを印刷することを特徴とする請求項１に記載の印刷装置。
【請求項３】
前記制御手段は、前記判断手段の判断が否定判断の場合に、前記被印刷媒体に対して行う印刷では、前記印刷すべきデータの全てを印刷することを特徴とする請求項１に記載の印刷装置。
【請求項４】
前記印刷すべき全てのデータのうちには、優先順位の高いデータと優先順位の低いデータが含まれており、
前記制御手段は、前記判断手段の判断が否定判断の場合に、前記優先順位の高いデータを前記記録媒体の前記領域に印刷する一方、前記優先順位の低いデータを前記被印刷媒体に印刷することを特徴とする請求項２に記載の印刷装置。
【請求項５】
前記制御手段は、前記判断手段の判断が否定判断の場合に、前記記録媒体から前記被印刷媒体に印刷が続くことを表す情報を前記記録媒体に印刷することを特徴とする請求項２または請求項４に記載の印刷装置。
【請求項６】
前記制御手段は、前記判断手段の判断が否定判断の場合に、前記記録媒体からの印刷が続くことを表す情報を前記被印刷媒体に印刷することを特徴とする請求項２または請求項４または請求項５の何れか１項に記載の印刷装置。
【請求項７】
電子データの記録が可能であり、印刷可能な領域の大きさが定められた記録媒体の表面に直接印刷を行う機能、および長尺の被印刷媒体に沿って印刷を行う機能を有する印刷装置であって、
印刷すべきデータを記憶する記憶手段と、
前記記憶手段に記憶された前記印刷すべきデータの全てを前記記録媒体の前記領域に収容して印刷可能であるか否かを判断する判断手段と、
前記判断手段の判断が否定判断の場合に、前記印刷装置を制御して、前記記録媒体の前記領域内に収容して印刷可能な前記印刷すべきデータのうちの所定のデータのみを、前記記録媒体の前記領域に印刷する一方、前記印刷すべきデータの全てのうちの前記所定のデータを除いた他のデータを前記被印刷媒体に印刷する制御手段と、
を備えることを特徴とする印刷装置。
【請求項８】
前記制御手段は、前記所定のデータと共に、その所定のデータ以外の前記印刷すべきデータを前記被印刷媒体に印刷することを表す情報を前記記録媒体に印刷することを特徴とする請求項７に記載の印刷装置。
【請求項９】
前記所定のデータは、前記記録媒体に記録される電子データの内容に関連するタイトルのデータであって、前記所定のデータ以外のデータは、前記記録媒体に記録される電子データの内容に関連し、前記タイトルのデータの下層に位置するタイトルのデータであることを特徴とする請求項７または請求項８に記載の印刷装置。
【請求項１０】
さらに、表示手段を備え、
前記制御手段は、前記判断手段の判断が否定判断の場合に、前記表示手段に前記被印刷媒体に対して印刷を行うことを表すメッセージを表示することを特徴とする請求項１乃至請求項９の何れか１項に記載の印刷装置。
【請求項１１】
さらに、前記被印刷媒体を切断する切断手段を備え、
前記制御手段は、前記被印刷媒体への印刷の際に、前記被印刷媒体を前記切断手段によりその長さ方向に所定の長さに切断するための信号を出力することを特徴とする請求項１乃至請求項１０の何れか１項に記載の印刷装置。
【請求項１２】
前記制御手段は、前記被印刷媒体への印刷の際に、前記被印刷媒体をその長さ方向に所定の長さに切断することを表す情報を前記被印刷媒体に印刷することを特徴とする請求項１乃至請求項１０の何れか１項に記載の印刷装置。
【請求項１３】
前記被印刷媒体における前記所定の長さは、前記記録媒体を収容するケースまたは前記記録媒体とともに前記ケースに収容するジャケットのサイズに対応した長さであることを特徴とする請求項１１または請求項１２に記載の印刷装置。
【請求項１４】
前記制御手段は、前記被印刷媒体が前記所定の長さで切断されるために区画される領域に、その領域の順位を表す情報を印刷することを特徴とする請求項１１乃至請求項１３の何れか１項に記載の印刷装置。
【請求項１５】
前記制御手段は、前記判断手段の判断が肯定判断の場合に、その印刷すべき全てのデータを前記記録媒体にのみ印刷することを特徴とする請求項１乃至請求項１４の何れか１項に記載の印刷装置。
【請求項１６】
前記制御手段は、前記判断手段の判断が肯定判断の場合に、その印刷すべき全てのデータを前記記録媒体および前記被印刷媒体に印刷することを特徴とする請求項１乃至請求項１４の何れか１項に記載の印刷装置。
【発明の詳細な説明】
【技術分野】
【０００１】
本発明は、電子データの記録が可能な記録媒体の表面に直接印刷を行う機能と、長尺の被印刷媒体に沿って印刷を行う機能とを有する印刷装置に関する。
【背景技術】
【０００２】
従来、電子データの記録が可能な記録媒体の表面に直接印刷を行う印刷装置として、特開２００３−７２１５５号公報に開示されているものがある。
【０００３】
この印刷装置は、ＣＤ−Ｒ(Compact Disk-Recordable)などの記録媒体（光ディスク）の印刷面（レーベル面）に直接印刷を行うように構成されており、光ディスクを載置するトレイと、このトレイに載置された光ディスクに対してインクリボンを用いて熱転写印刷を行うプリンタ機構を備えている。
【０００４】
前記プリンタ機構は、トレイ上面に対向して設けられたプリンタフレームと、このプリンタフレームに案内指示されてトレイ上面に沿って往復移動可能に設けられたキャリッジと、このキャリッジに搭載されるサーマルヘッドと、キャリッジに対して着脱可能に装着されるインクリボンカセットとを備え、またキャリッジには、キャリッジをプリンタフレームに沿って走行するためのキャリッジ走行機構と、サーマルヘッドを印刷位置と被印刷位置に移動させるサーマルヘッドの移動機構と、インクリボンカセットから繰り出されてサーマルヘッドに供給され印刷に使用したインクリボンをカセット内に回収するためのインクリボンの巻取り機構などを備え、さらに、これらの各機構を駆動する単一の駆動モータを備えている。前記サーマルヘッドには、複数個の発熱素子がライン状に配列され、その発熱素子列の幅は光ディスクの半径に比べて小さくなっている。
【０００５】
この印刷装置では、印刷開始時に駆動モータを正転駆動すると、ホームポジションにあるキャリッジが走行機構によりプリンタフレームで形成される走行路を一方向に向けて走行し、移動機構によりサーマルヘッドが印刷位置に移動する。そして、制御部によりサーマルヘッドを発熱駆動して光ディスクに対して印刷を行うと共に、インクリボンの巻取り機構を作動させて印刷に使用したインクリボンの巻取りを行う。
【０００６】
また、印刷終了時に駆動モータを逆転駆動すると、移動機構によりサーマルヘッドが非印刷位置に移動し、走行機構によりキャリッジがホームポジションに向けて復帰移動する。
【０００７】
これにより印刷装置では、プリンタ機構の１回の印刷動作により、光ディスクのレーベル面の１箇所に、幅がサーマルヘッドの発熱素子列の幅に対応し、長さがサーマルヘッドの移動距離に対応する範囲で印刷が行われる。
【０００８】
そして、この印刷装置により、光ディスクのレーベル面の複数箇所に印刷をしたい場合には、１箇所の印刷が終了した後に、例えば１回目の印刷での印刷領域とはディスク中央の円孔を中心にして反対側となる領域が前記プリンタ機構の位置に対応するようにトレイ上の光ディスクを１８０°回転させて再配置し、プリンタ機構の２回目の印刷動作によりその異なるもう１箇所に印刷が行われる（例えば、特許文献１参照。）。
【特許文献１】特開２００３−０７２１５５号公報
【発明の開示】
【発明が解決しようとする課題】
【０００９】
このように、従来の光ディスクに直接印刷を行う印刷装置では、限られた所定の大きさの光ディスクの印刷面上の所定領域に対して印刷を行うものであり、トレイ上の光ディスクを再配置して２箇所に印刷を行うとしても、その印刷可能な領域の大きさは限られたものとなる。しかも、この限られた大きさ領域では、設定可能な文字サイズ，１行の文字数，行数などの印刷書式も限られてしまうため、例えば光ディスクに記録する音楽データのアルバムタイトルおよびその個々の曲目タイトルを印刷したい場合に、タイトル印刷できる曲目数は自ずと限られてしまう。
【００１０】
従って、前記従来の印刷装置では、光ディスクの表面上の印刷可能な領域に比べて印刷データ量が多い場合には、その領域に収容しきれない印刷データについては印刷を諦めるか、あるいは印刷データを再編集して印刷領域の大きさに対応させてデータ量を少なくする必要があり、いずれにしても所望する全曲目タイトルを印刷して表記することができないという問題があった。
【００１１】
本発明は、前記のような問題に鑑みなされたもので、印刷を所望する全てのデータを記録媒体の表面に直接印刷することができない場合であっても、その印刷すべきデータの全てを印刷することを諦めたり、あるいはその印刷すべきデータのデータ量を少なくする再編集作業をすることなく、その印刷すべき全てのデータを印刷出力して記録媒体の管理に利用できるようにする印刷装置を提供することを目的とする。
【課題を解決するための手段】
【００１２】
請求項１に記載の発明は、電子データの記録が可能であり、印刷可能な領域の大きさが定められた記録媒体の表面に直接印刷を行う機能、および長尺の被印刷媒体に沿って印刷を行う機能を有する印刷装置であって、印刷すべきデータを記憶する記憶手段と、前記記憶手段に記憶された前記印刷すべきデータの全てを前記記録媒体の前記領域に収容して印刷可能であるか否かを判断する判断手段と、前記判断手段の判断が否定判断の場合に、前記印刷装置を制御して、前記印刷すべきデータのうちで前記記録媒体の前記領域内に収容して印刷可能なデータをその領域に印刷する一方、前記印刷すべきデータの全てのうちの少なくとも前記記録媒体の前記領域に収容して印刷できないデータを前記被印刷媒体に印刷する制御手段と、を備えることを特徴としている。
【００１３】
請求項２に記載の発明は、請求項１に記載の印刷装置において、前記制御手段は、前記判断手段の判断が否定判断の場合に、前記被印刷媒体に対して行う印刷では、前記印刷すべきデータの全てのうちの前記記録媒体の前記領域に収容して印刷できないデータのみを印刷することを特徴としている。
【００１４】
請求項３に記載の発明は、請求項１に記載の印刷装置において、前記制御手段は、前記判断手段の判断が否定判断の場合に、前記被印刷媒体に対して行う印刷では、前記印刷すべきデータの全てを印刷することを特徴としている。
【００１５】
請求項４に記載の発明は、請求項２に記載の印刷装置において、前記印刷すべき全てのデータのうちには、優先順位の高いデータと優先順位の低いデータが含まれており、前記制御手段は、前記判断手段の判断が否定判断の場合に、前記優先順位の高いデータを前記記録媒体の前記領域に印刷する一方、前記優先順位の低いデータを前記被印刷媒体に印刷することを特徴としている。
【００１６】
請求項５に記載の発明は、請求項２または請求項４に記載の印刷装置において、前記制御手段は、前記判断手段の判断が否定判断の場合に、前記記録媒体から前記被印刷媒体に印刷が続くことを表す情報を前記記録媒体に印刷することを特徴としている。
【００１７】
請求項６に記載の発明は、請求項４または請求項５の何れか１項に記載の印刷装置において、前記制御手段は、前記判断手段の判断が否定判断の場合に、前記記録媒体からの印刷が続くことを表す情報を前記被印刷媒体に印刷することを特徴としている。
【００１８】
請求項７に記載の印刷装置は、電子データの記録が可能であり、印刷可能な領域の大きさが定められた記録媒体の表面に直接印刷を行う機能、および長尺の被印刷媒体に沿って印刷を行う機能を有する印刷装置であって、印刷すべきデータを記憶する記憶手段と、前記記憶手段に記憶された前記印刷すべきデータの全てを前記記録媒体の前記領域に収容して印刷可能であるか否かを判断する判断手段と、前記判断手段の判断が否定判断の場合に、前記印刷装置を制御して、前記記録媒体の前記領域内に収容して印刷可能な前記印刷すべきデータのうちの所定のデータのみを、前記記録媒体の前記領域に印刷する一方、前記印刷すべきデータの全てのうちの前記所定のデータを除いた他のデータを前記被印刷媒体に印刷する制御手段と、を備えることを特徴としている。
【００１９】
請求項８に記載の発明は、請求項７に記載の印刷装置において、前記制御手段は、前記所定のデータと共に、その所定のデータ以外の前記印刷すべきデータを前記被印刷媒体に印刷することを表す情報を前記記録媒体に印刷することを特徴としている
請求項９に記載の発明は、請求項７または請求項８に記載の印刷装置において、前記所定のデータは、前記記録媒体に記録される電子データの内容に関連するタイトルのデータであって、前記所定のデータ以外のデータは、前記記録媒体に記録される電子データの内容に関連し、前記タイトルのデータの下層に位置するタイトルのデータであることを特徴としている。
【００２０】
請求項１０に記載の発明は、請求項１乃至請求項９の何れか１項に記載の印刷装置において、さらに、表示手段を備え、前記制御手段は、前記判断手段の判断が否定判断の場合に、前記表示手段に前記被印刷媒体に対して印刷を行うことを表すメッセージを表示することを特徴としている。
【００２１】
請求項１１に記載の発明は、請求項１乃至請求項１０の何れか１項に記載の印刷装置において、さらに、前記被印刷媒体を切断する切断手段を備え、前記制御手段は、前記被印刷媒体への印刷の際に、前記被印刷媒体を前記切断手段によりその長さ方向に所定の長さに切断するための信号を出力することを特徴としている。
【００２２】
請求項１２に記載の発明は、請求項１乃至請求項１０の何れか１項に記載の印刷装置において、前記制御手段は、前記被印刷媒体への印刷の際に、前記被印刷媒体をその長さ方向に所定の長さに切断することを表す情報を前記被印刷媒体に印刷することを特徴としている。
【００２３】
請求項１３に記載の発明は、前記請求項１１または請求項１２に記載の印刷装置において、前記被印刷媒体における前記所定の長さは、前記記録媒体を収容するケースまたは前記記録媒体とともに前記ケースに収容するジャケットのサイズに対応した長さであることを特徴としている。
【００２４】
請求項１４に記載の発明は、請求項１１乃至請求項１３の何れか１項に記載の印刷装置において、前記制御手段は、前記被印刷媒体が前記所定の長さで切断されるために区画される領域に、その領域の順位を表す情報を印刷することを特徴としている。
【００２５】
請求項１５に記載の発明は、請求項１乃至請求項１４の何れか１項に記載の印刷装置において、前記制御手段は、前記判断手段の判断が肯定判断の場合に、その印刷すべき全てのデータを前記記録媒体にのみ印刷することを特徴としている。
【００２６】
請求項１６に記載の発明は、請求項１乃至請求項１４の何れか１項に記載の印刷装置において、前記制御手段は、前記判断手段の判断が肯定判断の場合に、その印刷すべき全てのデータを前記記録媒体および前記被印刷媒体に印刷することを特徴としている。
【発明の効果】
【００２７】
請求項１に記載の発明によれば、印刷すべきデータの全てを記録媒体の表面の印刷可能な領域に印刷することができないと判断すると、記録媒体の表面に直接印刷を行う機能により記録媒体に印刷可能なデータについてその印刷を行う一方、長尺の被印刷媒体に沿って印刷を行う機能によって、少なくとも記録媒体に印刷することができないデータを被印刷媒体に印刷するものであるため、印刷可能な領域の大きさに制限があって印刷すべき全てのデータを記録媒体に直接印刷することができない場合であっても、印刷可能な領域の大きさが必ずしも制限されない長尺の被印刷媒体に印刷することで、所望する全てのデータを印刷出力することができる。従って、所望する印刷すべきデータの全てが記録媒体に印刷できないために、必要とするうちの一部のデータの印刷を諦めたり、あるいは再編集作業によりデータ量を削減するなどの必要がなく、記録媒体に記録する電子データに関連する必要とする全ての印刷すべきデータを記録媒体自体及び被印刷媒体に対して印刷出力して表記しておくことにより、記録媒体への表記では不足する情報を被印刷媒体への表記により補足することができ、記録媒体の管理を容易に行うことができる。
【００２８】
請求項２に記載の発明によれば、印刷すべきデータの全てを記録媒体の表面の印刷可能な領域に印刷することができないと判断すると、記録媒体の表面に直接印刷を行う機能により記録媒体に印刷可能なデータについてその印刷を行う一方、長尺の被印刷媒体に沿って印刷を行う機能によって、記録媒体に印刷することができないデータのみを被印刷媒体に印刷するものであるため、所望する全てのデータを印刷出力することができ、請求項１の発明と同一の効果を得ることができる。そして、この請求項２の発明によれば、被印刷媒体に印刷する内容は記録媒体への印刷内容とは重複しないため、効率のよい印刷ができる。
【００２９】
請求項３に記載の発明によれば、印刷すべきデータの全てを記録媒体の表面の印刷可能な領域に印刷することができないと判断すると、記録媒体の表面に直接印刷を行う機能により記録媒体に印刷可能なデータについてその印刷を行う一方、長尺の被印刷媒体に沿って印刷を行う機能によって、印刷すべきデータの全てを被印刷媒体に印刷をするものであるため、所望する全てのデータを印刷出力することができ、請求項１の発明と同一の効果を得ることができる。そして、この請求項３の発明によれば、被印刷媒体に対して印刷すべき全てのデータの印刷がなされるため、この被印刷媒体への印刷表記によって全ての印刷内容を把握することができる。
【００３０】
請求項４に記載の発明によれば、請求項２の発明のように、記録媒体に印刷できないデータを被印刷媒体に印刷するようにした場合において、印刷すべきデータ中に優先順位を設定しておき、優先順位の高いデータを記録媒体に印刷し低いデータを被印刷媒体に印刷するようにしたので、即ち優先順位が高く重要なデータを記録媒体自体に表記し、それよりも優先順位が低い関連するデータを被印刷媒体に表記して記録媒体の表記を追加乃至補足するようにしたことで、記録媒体の管理を容易に行うことができる。
【００３１】
請求項５に記載の発明によれば、請求項２または請求項４の発明において、それぞれの印刷機能により記録媒体および被印刷媒体の両方に印刷を行う場合に、被印刷媒体にも印刷が続くことを表す情報を記録媒体に印刷するため、記録媒体に印刷された情報によって記録媒体だけでなく被印刷媒体にも印刷表記が連続していることを認識できる。
【００３２】
請求項６に記載の発明によれば、請求項４または請求項５の発明において、それぞれの印刷機能により記録媒体および被印刷媒体の両方に印刷を行う場合に、記録媒体からの印刷の続きであることを表す情報を被印刷媒体に印刷するため、被印刷媒体に印刷された情報によってその被印刷媒体の印刷表記は記録媒体からの印刷表記の続きであることを認識できる。
【００３３】
請求項７に記載の発明によれば、印刷すべきデータの全てを記録媒体の表面の印刷可能な領域に印刷することができないと判断すると、記録媒体の表面に直接印刷を行う機能により記録媒体に所定のデータのみの印刷を行う一方、長尺の被印刷媒体に沿って印刷を行う機能によって、前記所定のデータを除いた他のデータを被印刷媒体に印刷するものであるため、印刷可能な領域の大きさに制限があって印刷すべき全てのデータを記録媒体に直接印刷することができない場合であっても、印刷可能な領域の大きさが必ずしも制限されない長尺の被印刷媒体に印刷することで、所望する全てのデータを印刷出力することができる。従って、所望する印刷すべきデータの全てが記録媒体に印刷できないために、必要とするうちの一部のデータの印刷を諦めたり、あるいは再編集作業によりデータ量を削減するなどの必要がなく、記録媒体に記録する電子データに関連する必要とする全ての印刷すべきデータを記録媒体自体及び被印刷媒体に対して印刷出力して表記しておくことにより、記録媒体への表記では不足する情報を被印刷媒体への表記により補足することができ、記録媒体の管理を容易に行うことができる。
【００３４】
請求項８の発明によれば、請求項７に記載の発明において、それぞれの印刷機能により記録媒体および被印刷媒体の両方に印刷を行う場合に、所定のデータと共に、その所定のデータ以外の印刷すべきデータを被印刷媒体に印刷することを表す情報を記録媒体に印刷するようにしたので、記録媒体に印刷された情報によって記録媒体だけでなく被印刷媒体にも印刷表記があることを認識できる。
【００３５】
請求項９に記載の発明によれば、請求項７または請求項８の発明において、記録媒体には、そこに記録される電子データの内容に関連するタイトルを印刷するため、このタイトルの表記によって電子データの内容を一目瞭然に把握することができ、また記録媒体に印刷するタイトルの下層のタイトルを被印刷媒体に印刷するため、この被印刷媒体を記録媒体とともに保管すれば細目のタイトルも確認することができて、記録媒体の管理に便利である。
【００３６】
請求項１０に記載の発明によれば、請求項１乃至請求項９の発明において、印刷すべきデータの全てを記録媒体の表面の印刷可能な領域に印刷することができないと判断すると、被印刷媒体に対して印刷を行うことを表すメッセージを表示するようにしたので、ユーザはメッセージによって記録媒体だけでなく被印刷媒体にも印刷が行われること、あるいは記録媒体には印刷すべきデータの全てを印刷できないということを知ることができる。
【００３７】
請求項１１に記載の発明によれば、請求項１乃至請求項１０の発明において、さらに、長尺の被印刷媒体への印刷の際に、該被印刷媒体を切断手段によってその長さ方向に所定の長さに切断するようにしたので、取り扱い易い所定サイズの印刷物として得ることができる。
【００３８】
請求項１２に記載の発明によれば、請求項１乃至請求項１０の発明において、被印刷媒体への印刷の際に、被印刷媒体をその長さ方向に所定の長さに切断することを表す情報を被印刷媒体に印刷するようにしたので、印刷後にその切断のために印刷された情報を目安として被印刷媒体を取り扱い易い所定サイズに切断分離することができる。
【００３９】
請求項１３に記載の発明によれば、前記請求項１１または請求項１２の発明において、被印刷媒体における所定の長さは、記録媒体を収容するケースまたは記録媒体とともにケースに収容するジャケットのサイズに対応した長さであるので、印刷し所定の長さとした被印刷媒体の切断片を記録媒体のケースやジャケットに貼り付けたり、記録媒体と共にケースに収納するなどして使用できる。
【００４０】
請求項１４に記載の発明によれば、請求項１１乃至請求項１３の発明において、被印刷媒体が所定の長さで切断されるために区画される領域に、その領域の順位を表す情報を印刷するようにしたので、その情報により被印刷媒体が区画毎に複数枚に分離されたときにそれらの間の順位を容易に知ることができる。
【００４１】
請求項１５に記載の発明によれば、請求項１乃至請求項１４の発明において、印刷すべきデータの全てを記録媒体の表面の印刷可能な領域に印刷することができると判断すると、その印刷すべき全てのデータを記録媒体にのみ印刷するようにしたので、判断結果に応じて、長尺の被印刷媒体に印刷する機能を用いる必要が生じなければ、記録媒体の表面に直接印刷する機能だけを用いて記録媒体への印刷を行うことができる。
【００４２】
請求項１６に記載の発明によれば、請求項１乃至請求項１４の発明において、印刷すべきデータの全てを記録媒体の表面の印刷可能な領域に印刷することができると判断すると、その印刷すべき全てのデータを記録媒体に印刷する一方、被印刷媒体にも印刷するようにしたので、記録媒体と同じデータを印刷した被印刷媒体を、記録媒体を収納するケースなどに貼着するなどして利用することができ、これにより記録媒体の管理を容易に行うことができる。
【発明を実施するための最良の形態】
【００４３】
以下図面により本発明の実施の形態について説明する。
【００４４】
（第１実施形態）
図１は本発明の第１の実施形態に係る第１のプリンタ部と第２のプリンタ部を備えるプリンタ装置の全体の斜視図であり、図２はそのプリンタ装置の側面図である。
【００４５】
このプリンタ装置１は装置本体としての筐体２を備え、その筐体２の内部には光ディスクなどの記録媒体のレーベル面に直接印刷を行なう機能を有する第１のプリンタ部（ディスク用プリンタ部）３と、長尺の被印刷媒体である印刷テープに印刷を行なう機能を有する第２のプリンタ部（テープ用プリンタ部）４との２つの独立したプリンタ部が設けられている。
【００４６】
筐体２の正面側には、キー入力部１１と液晶表示部１２を備えるキーボード１０がヒンジ１３を介して筐体２の正面パネル２ａに起伏動可能に取り付けられている。また、筐体２の側面パネル２ｂには開口部５が設けられ、この開口部５から光ディスクを装着する第１のプリンタ部３のトレイ２１が筐体２外に移動可能に設けられている。さらに、筐体２の背面側２ｃには開閉可能なプリンタカバー６により覆われる第２のプリンタ部４が設けられている。
【００４７】
７は筐体２内に設けられる不図示の電池収納室を覆う電池カバーであり、電池収納室には、このプリンタ装置１の駆動電源となる電池が収納される。また、８は側面パネル２ｂ及び正面パネル２ａに設けられる第１のプリンタ部３の消耗品の交換用の開口部を覆うカバーであり、９は第１のプリンタ部３のトレイ２１をイジェクト操作するための操作ボタンである。
【００４８】
前記キー入力部１１には、文字や記号等を入力する文字入力キー、液晶表示部１２に表示されるカーソルを移動させるカーソルキー、各種入力データや選択データの確定、特定機能の開始の指示等を行なうときに操作する特定機能キー、装置の電源をオン・オフするための電源キー等、およびその他の動作に必要な制御キーが備えられている。
【００４９】
図３はプリンタ装置１の筐体２内に設けられた第１のプリンタ部３の主要部の構成を示す正面構成図、図４は同じく側面構成図を示している。
【００５０】
筐体２の内部にはベース２０が設けられ、そのベース２０上には印刷対象物としての光ディスクＤを支持するトレイ２１が設けられる。また、筐体２の内部には、トレイ２１に支持された光ディスクＤのレ一ベル面に対して、当該光ディスクＤに記録された電子データに関するタイトル等の印刷を行なうプリンタ機構３５が設けられている。
【００５１】
トレイ２１は、矩形でプレート状のトレイ本体２２を備え、そのトレイ本体２２には、回転軸２３を中心に回転可能にして光ディスクＤを支持する回転台２４が設けられている。この回転台２４の表面には緩衝材シート２５が貼設され、その中央部には光ディスクＤの円孔の内縁に係合する複数の係合爪２６が設けられている。
【００５２】
トレイ２１は、筐体２内の上下の位置でベース２０に設けた一対の案内レール２７に沿って案内され、光ディスクＤに対して印刷を行なう筐体２内の所定の収納位置と、光ディスクＤの着脱が可能な筐体２外の排出位置との間を移動可能に設けられている。
【００５３】
トレイ本体２２の下側の側縁にはラック２８が設けられている。筐体２内にはラック２８と噛み合う駆動ギア２９およびギア列３０を介して駆動ギア２９を正逆回転させるトレイ移動モータ３１が設けられている。そして、筐体２の側面パネル２ｂに設けられたイジェクトボタン９の操作により、モータ３１が一方向に回転駆動されて、筐体２内に位置するトレイ２１が、筐体２の開口部５から筐体２外に排出される。また、操作ボタン９の操作によりモータ３１が逆方向に回転駆動されて、筐体２外に位置するトレイ２１が筐体２内の収納位置まで移動される。
【００５４】
トレイ２１に設けられた回転台２４は、トレイ本体２２の裏面側に設けられたトレイ回転モータ３２を駆動源とし、ギア列３３を介してモータ３２の駆動力が回転軸２３に伝達されて時計回りに回転駆動される。
【００５５】
なお、トレイ本体２２には、回転台２４の回転角度を検出してモータ３２の駆動を制御するためのスイッチからなる回転角度検出部３４が設けられている。この検出部３４は、回転台２４の外周縁の１８０°対向する２箇所にそれぞれ設けた不図示のスイッチ操作用の突部によって作動され、この検出部３４の作動によって回転台２４の回転位置を検出できるように構成されている。
【００５６】
筐体２内には、トレイ２１の回転台２４と対向して、熱転写プリンタからなるプリンタ機構３５が設けられている。
【００５７】
このプリンタ機構３５は、ブリッジ形状のプリンタフレーム３６を備える。このプリンタフレーム３６は、サーマルヘッド３７を搭載したキャリッジ３８を支持するとともに、キャリッジ３８を回転台２４に沿って垂直方向に往復走行させる走行路を形成している。プリンタフレーム３６には、キャリッジ３８を摺動自在に案内するガイドシャフト３９が設けられ、またキャリッジ３８の走行時にキャリッジ３８に設けられた不図示の駆動ギアと噛み合うラック４０が設けられている。このキャリッジ３８は、そこに搭載したキャリッジモータ４１でラック４０と噛み合う駆動ギアを駆動してガイドシャフト３９に沿って往復移動する自走方式となっている。
【００５８】
また、キャリッジ３８の前面側には熱転写印刷のためのインクリボンを収容したリボンカートリッジ４３が装着されている。
【００５９】
また、図示を省略しているが、キャリッジ３８には、モータ４１を駆動源としてカム機構などによってサーマルヘッド３７を印刷位置と非印刷位置とに移動させるヘッド移動機構、モータ４１を駆動源としてキャリッジ３８に設けられるリボン巻取軸４２を駆動してインクリボンを巻き取るリボン巻取機構が設けられている。
【００６０】
この第１のプリンタ部（ディスク用プリンタ部）３では、モータ４１の正転駆動によりヘッド移動機構を作動してサーマルヘッド３７を回転台２４上の光ディスクＤのレーベル面に当接して押圧する印刷位置に移動させてその位置に保持するとともに、回転台２４を停止し光ディスクＤを静止した状態でキャリッジ３８を図３及び図４の下側の初期位置から上側に向けて移動させることにより印刷を行なう。この印刷中には、モータ４１の正転駆動によりリボン巻取軸４２が駆動されて熱転写に使用されたインクリボンの巻取りが行われる。
【００６１】
また、印刷が終了すると、モータ４１の逆転駆動によって、サーマルヘッド３７を光ディスクＤのレーベル面から開離した非印刷位置に移動させてその位置に保持するとともに、キャリッジ３８を図３及び図４の上側から下側の初期位置に向けて復帰移動させるものである。リボン巻取機構にはワンウエイクラッチ機構が設けられており、キャリッジ３８の復帰移動の際には、リボン巻取軸４２の駆動は行われない。
【００６２】
この第１のプリンタ部（ディスク用プリンタ部）３では、１回の印刷動作によりサーマルヘッド３７の発熱素子列の幅（印刷可能幅）とそのサーマルヘッド３７の移動する距離（印刷可能長さ）に対応する矩形の印刷領域内に印刷が可能であり、ここでは、サーマルヘッド３７に１２８個の発熱素子が配列されており、その印刷可能幅は１６ｍｍであり、印刷可能長さは７４ｍｍである。また、この第１のプリンタ部３では、１回又は２回の印刷動作により光ディスクＤのレーベル面の１箇所又は２箇所の印刷領域に印刷を行なうことができる。レーベル面の２箇所に印刷を行なう場合には、１箇所目の印刷の終了後に、キャリッジ３８の初期位置への復帰後あるいは復帰の途中でトレイ回転モータ３２を駆動して回転台２４を１８０°回転させた後に、１回目の印刷動作と同様にしてキャリッジ３８を初期位置から印刷動作方向に移動させて２回目の印刷動作を行なうことで、２箇所目の印刷を行なう。
【００６３】
例えば、図１に示すように、光ディスクＤのレーベル面上のＡは第１の印刷領域を示し、Ｂは第２の印刷領域を示している。１箇所だけに印刷する場合にはＡの印刷領域に印刷を行い、２箇所に印刷を行なう場合にはＡとＢの印刷領域に順に印刷を行なう。光ディスクＤ上の「ＣＤ−Ｒ」の文字はプレ印刷部分Ｐを表している。このプレ印刷部分Ｐを有する光ディスクＤでは、そのプレ印刷部分Ｐがトレイ２１の回転台２４に装着するときの位置合わせの基準に使用される。
【００６４】
すなわち、図１に示すように、プレ印刷部分Ｐを下側にして光ディスクＤをトレイ２１の回転台２４に装着する。光ディスクＤを装着したトレイ２１が筐体２内に収納された後、印刷開始前に回転台２４は１８０°回転して光ディスクＤ上のＡの印刷領域をプリンタ機構３５に対応させ、この後、Ａの印刷領域に印刷を行なう。２箇所に印刷する場合には、さらに回転台２４を１８０°回転してＢの印刷領域にも印刷を行なうことになる。
【００６５】
図５はプリンタ装置１の背面側に設けられテープに印刷を行なう第２のプリンタ部４の構成を示す正面構成図である。
【００６６】
この第２のプリンタ部（テープ用プリンタ部）４は、筐体２の背面側２ｃに開閉可能に設けられたプリンタカバー６によって覆われるテープカートリッジ装填部５０を備え、そのテープカートリッジ装填部５０にインクリボン５２と熱転写用の印刷テープ（長尺の被印刷媒体）５３を収納したテープカートリッジ５１が装填される。なお、印刷テープ５３は、表面に印刷が行われ、裏面に接着剤を有する受像テープを剥離テープ上に貼着して構成されている。
【００６７】
このテープカートリッジ装填部５０には、インクリボン５２のインクを印刷テープ５３に熱転写して印刷を行なうサーマルヘッド５６、図示しない駆動機構により回転駆動されてインクリボン５２及び印刷テープ５３を搬送するプラテンローラ５７、前記駆動機構によりプラテンローラ５７とともに回転駆動されて使用されたインクリボン５２を巻き取るリボン巻取軸５８などを備えるテーププリンタ機構５５が設けられている。前記サーマルヘッド５６は、１６ｍｍ幅で１２８個の発熱素子を備えており、この発熱素子列はテープカートリッジ装填部５０に装填される印刷テープ５３の幅方向に配置されている。
【００６８】
また、テープカートリッジ装填部５０には、テープカートリッジ５１のコーナ部を受ける受台６０、テープカートリッジ５１に係合して位置決めする位置合わせ突起６１が設けられ、受台６０にはテープカートリッジ装填部５０に装填されるテープカートリッジ５１の種類、すなわち印刷テープ５３の幅を複数のスイッチの組合せで検出するテープカートリッジ検出部６２が設けられている。テープカートリッジ５１にはそのコーナ部に、内部に収容するテープの幅に応じた形状のテープ幅識別部５１ａが形成されており、このテープ幅識別部５１ａによってテープカートリッジ検出部６２の複数のスイッチのオン・オフ動作する組合せでテープ幅の検出を可能にしている。
【００６９】
また、テープカートリッジ装填部５０から筐体２外に向けて搬送路６３が形成され、その搬送路６３の端部には、筐体２の側面部に位置して印刷後の印刷テープ５３が排出される排出口６４が設けられている。排出口６４の近傍には、固定刃６６と可動刃６７とを備え図示しない駆動機構により可動刃６７を固定刃６６に向けて移動させて印刷テープ５３を切断する全切断カッタ６５が設けられ、さらに可動刃６９とこれを受ける刃受け部７０で構成され、印刷テープ５３の剥離テープ部分を残して受像テープ部分を切断するハーフカッタ６８が設けられている。これらの全切断カッタ６５及びハーフカッタ６８の構成は本出願人の特許出願に係る特開２００１−２７７１８４号公報に示されている。ここでは、それと同じ構成のものを使用することができる。
【００７０】
なお、テーププリンタ機構５５のサーマルヘッド５６は、図示しない移動機構によりプリンタカバー６の開放時にプラテンローラ５７から開離し、プリンタカバー６を閉じるとともにプラテンローラ５７に圧接するように構成されている。
【００７１】
この第２のプリンタ部４に装填されるテープカートリッジ５１は、そのハウジング内に印刷テープ５３を巻装したテープスプール５３ａ、インクリボン５２を巻装したリボン供給スプール５２ａ及びインクリボン５２を巻き取るリボン巻取スプール５２ｂを内蔵している。このテープカートリッジ５１は、例えば、テープ幅が６ｍｍ、９ｍｍ、１２ｍｍ、１８ｍｍ、２４ｍｍなどの異なる複数種類が用意されている。
【００７２】
この第２のプリンタ部（テープ用プリンタ部）４では、印刷動作時にプラテンローラ５７が駆動されると、テープカートリッジ装填部５０に装填されたテープカートリッジ５１から印刷テープ５３及びインクリボン５２が重ねられた状態でサーマルヘッド５６とプラテンローラ５７の間に供給され、サーマルヘッド５６により熱転写印刷が行われた後に印刷テープ５３は搬送路６３を通って排出口６４から筐体２の外に排出される。また、同時にリボン巻取軸５８も駆動されて、印刷に使用されたインクリボン５２がリボン巻取スプール５２ｂに巻き取られる。印刷が終了すると、全切断カッタ６５、あるいはハーフカッタ６８及び全切断カッタ６５を作動させて印刷テープ５３を切断しラベルとして切り離す。
【００７３】
図６には本第１実施形態に係るプリンタ装置１の電気回路の構成を示してある。このプリンタ装置１は第１のプリンタ部（ディスク用プリンタ部）３及び第２のプリンタ部（テープ用プリンタ部）４を制御する制御部（ＣＰＵ）８１を有し、この制御部８１には、ＲＯＭ８２およびＲＡＭ８４が備えられ、ＲＯＭ８２にはプリンタ装置１の各部の動作を制御するためのシステムプログラムなどのプログラムデータや印刷のために必要なデータが記憶され、ＲＡＭ８４には入力されたデータを記憶する入力データメモリや印刷パターンデータを記憶するための印刷データメモリなどが備えられている。また、印刷動作に必要なデータが一時的に記憶される。また、制御部８１には、キー入力部１１、表示部１２が接続され、表示及び印刷のための文字フォントを発生するフォントＲＯＭ８３が接続される。
【００７４】
第１のプリンタ部（ディスク用プリンタ部）３に設けられたトレイ移動モータ３１及びトレイ回転モータ３２は、モータドライバ３１Ｄ、３２Ｄを介して制御部８１に接続され、制御部８１の制御を受けて回転駆動されてトレイ２１を筐体２の内外に移動させ、回転台２４を回転させる。また、第１のプリンタ部（ディスク用プリンタ部）３に設けられたキャリッジモータ４１は、モータドライバ４１Ｄを介して制御部８１に接続され、制御部８１の制御を受けて駆動されてキャリッジ３８を移動させ、またサーマルヘッド３７はヘッドドライバ３７Ｄを介して制御部８１に接続される。
【００７５】
第２のプリンタ部（テープ用プリンタ部）４には、テープ搬送モータ８５及びカッタモータ８６が設けられ、それぞれモータドライバ８５Ｄ、８６Ｄを介して制御部８１に接続される。このテープ搬送モータ８５はプラテンローラ５７を回転して印刷テープ５３を搬送し、またカッタモータ８６は全切断カッタ６５及びハーフカッタ６８を作動して印刷テープ５３の全切断及びハーフカットを行なう。
【００７６】
第２のプリンタ部（テープ用プリンタ部）４に設けられたサーマルヘッド５６はヘッドドライバ５６Ｄを介して制御部８１に接続される。
【００７７】
また、ＲＯＭ８２には、光ディスク及び印刷テープへの印刷を行う場合の所定の印刷フォーマットデータが記憶される。
【００７８】
このプリンタ装置１では、例えば６種類の印刷フォーマット(１)〜(６)を有しており、それらの印刷フォーマットが例えば１４項目の入力項目に対応している。これらの入力項目は、「タイトル」、「コメント」、「内容１」、「内容２」、「内容３」、「内容４」、〜、「内容１２」であり、これらの入力項目に対応してユーザはキー入力部１１から任意の文字列の入力を行なう。例えば、入力項目の「タイトル」には、光ディスクＤに記録する電子データを表すタイトルの文字列を入力することができる。また、入力項目の「コメント」には、何らかのコメントの文字列を入力することができる。また、入力項目の「内容１」〜「内容１２」には、それぞれ光ディスクＤに記録する電子データの内容を表す文字列を入力することができる。
【００７９】
なお、これらの入力項目のうち、「タイトル」については必ず入力しなければならない必須入力項目であるが、それ以外の１３項目は任意の入力項目であり、ユーザが必要に応じて入力を行なうもので、必要としなければ入力を行なわなくともよい。
【００８０】
この６種類の印刷フォーマットのうち４種類は、第１のプリンタ部（ディスク用プリンタ部）３による光ディスクＤへの印刷と第２のプリンタ部（テープ用プリンタ部）４によるテープ５３への印刷に共通に使用することができる。すなわち、この４種類の各単一の印刷フォーマットについては、光ディスクＤへの印刷にもテープ５３への印刷にも共通に使用することができるものである。
【００８１】
印刷フォーマット(１)は、光ディスクＤへの印刷においては、その上側の印刷領域Ａだけに入力項目の「タイトル」に対応して入力された文字列を１行で印刷するものであり、テープ５３への印刷においては、１枚の所定の長さのラベルに入力項目の「タイトル」に対応して入力された文字列を１行で印刷するものである。
【００８２】
なお、所定の長さのラベルとは、テープ５３を例えば光ディスクＤのディスクケースＤＣ（図９〜図１１参照）やジャケットの規定のサイズに合わせて切断した長さのラベルである。
【００８３】
また、印刷フォーマット(２)は、光ディスクＤへの印刷においては、例えば図８（Ａ）に示すように、印刷領域Ａに対して第１行目に入力項目の「タイトル」に関する入力文字列を印刷し、第２行目に入力項目の「コメント」に関する文字列を印刷するものであり、テープ５３への印刷においては、１枚のラベルに対して第１行目に入力項目の「タイトル」に関する入力文字列を印刷し、第２行目に入力項目の「コメント」に関する文字列を印刷するものである。
【００８４】
印刷フォーマット(３)は、光ディスクＤの印刷領域Ａ又はラベルに対して入力項目の「タイトル」、「コメント」、「内容１」に関する入力文字列を３行にして印刷するものである。
【００８５】
また、印刷フォーマット(４)は、光ディスクＤへの印刷においては、例えば図８（Ａ）に示すように、その上側の印刷領域Ａに対して第１行目に入力項目の「タイトル」に関する入力文字列、第２行目に入力項目の「コメント」に関する入力文字列を印刷し、さらにその下側の印刷領域Ｂに対して「内容１」〜「内容４」に関する入力文字列を第１行目〜第４行目までの４行に印刷するものであり、テープ印刷の場合には、その印刷フォーマットにより２枚のラベル５３ａ、５３ｂに光ディスクＤの上側の印刷領域Ａと下側の印刷領域Ｂへの印刷と同様の印刷を行なうものである。
【００８６】
また、残りの２種類の印刷フォーマットは、第１のプリンタ部（ディスク用プリンタ部）３による光ディスクＤへの印刷と第２のプリンタ部（テープ用プリンタ部）４によるテープ５３への印刷の組み合わせで使用することができる。
【００８７】
すなわち、印刷フォーマット(５)は、光ディスクＤへの印刷として、例えば図８（Ａ）に示すように、その上側の印刷領域Ａに対して第１行目に入力項目の「タイトル」に関する入力文字列、第２行目に入力項目の「コメント」に関する入力文字列を印刷し、さらにその下側の印刷領域Ｂに対して「内容１」〜「内容４」に関する入力文字列を第１行目〜第４行目までの４行に印刷する。さらに、テープ５３への印刷として、例えば図８（Ｂ）に示すように、１枚のラベル５３ａに対して「内容５」〜「内容８」に関する入力文字列を第１行目〜第４行目までの４行に印刷するものである。
【００８８】
また、印刷フォーマット(６)は、光ディスクＤへの印刷として、例えば図８（Ａ）に示すように、その上側の印刷領域Ａに対して第１行目に入力項目の「タイトル」に関する入力文字列、第２行目に入力項目の「コメント」に関する入力文字列を印刷し、さらにその下側の印刷領域Ｂに対して「内容１」〜「内容４」に関する入力文字列を第１行目〜第４行目までの４行に印刷する。さらに、テープ５３への印刷として、例えば図８（Ｂ）に示すように、１枚目のラベル５３ａに対して「内容５」〜「内容８」に関する入力文字列を、２枚目のラベル５３ｂに対して「内容９」〜「内容１２」に関する入力文字列を、それぞれその第１行目〜第４行目までの４行に印刷するものである。
【００８９】
そして、前記各印刷フォーマット（１）〜（６）は、光ディスクＤ及び印刷テープ５３（ラベル５３ａ、５３ｂ）におけるそれぞれの印刷位置、文字サイズ、文字間隔、文字方向、文字列の回転などの予め決められた各データとしてＲＯＭ８２に設定される印刷フォーマットデータ記憶領域に記憶されている。
【００９０】
このプリンタ装置１では、予め用意された複数の印刷フォーマット(１)〜(６)のうちの１つが入力項目の入力状況に応じて自動的に選択されて設定されるように構成されている。
【００９１】
例えば、必須入力項目の「タイトル」だけの入力の場合には、印刷フォーマット(１)が選択され、「タイトル」の入力に加えて「コメント」の入力があれば、印刷フォーマット(２)が選択され、「タイトル」の入力に加えて「内容１」、あるいは更にそれらに加えて「コメント」の入力があれば、印刷フォーマット(３)が選択され、「タイトル」の入力に加えて「内容２」、「内容３」及び「内容４」のいずれか１つ以上の入力があれば、印刷フォーマット(４)が選択される。更にまた「タイトル」「内容１」〜「内容４」の入力に加えて「内容５」、「内容６」、「内容７」及び「内容８」のいずれか１つ以上の入力があれば、印刷フォーマット(５)が選択され、「タイトル」「内容１」〜「内容８」の入力に加えて「内容９」、「内容１０」、「内容１１」及び「内容１２」のいずれか１つ以上の入力があれば、印刷フォーマット(６)が選択されることになる。
【００９２】
次に、前記第１実施形態の構成の第１のプリンタ部（ディスク用プリンタ部）３と第２のプリンタ部（テープ用プリンタ部）４を備えたプリンタ装置１による印刷動作について説明する。
【００９３】
図７は前記第１実施形態のプリンタ装置１による印刷処理を示すフローチャートである。
【００９４】
図８は前記プリンタ装置１の印刷処理に伴う光ディスクＤに対する印刷状態およびテープ５３に対する印刷状態を示す図である。
【００９５】
キー入力部１１のユーザ操作に応じて、制御部（ＣＰＵ）８１が印刷データの入力モードに設定されると、表示部１２に対して「タイトル」の入力画面が表示される。この「タイトル」入力画面にあって、光ディスクＤに記録される例えば音楽アルバムなどの電子データに応じたアルバムタイトルがキー入力部１１の文字入力キーの操作に従い入力されると、この「タイトル」の入力データはＲＡＭ８４内の入力データ記憶部に記憶される（ステップＡ１）。
【００９６】
すると、表示部１２に対して「コメント」および「内容１」〜「内容１２」の入力画面が表示され、この「コメント」「内容１」〜「内容１２」の入力画面にあって、例えば前記音楽アルバムに関するコメント、そして各曲目タイトルがキー入力部１１の文字入力キーの操作に従い入力されると、この「コメント」「曲目タイトル１（内容１）」〜「曲目タイトルｎ（内容ｎ）」の入力データは前記ＲＡＭ８４内の入力データ記憶部に追加で記憶される（ステップＡ２）。
【００９７】
ここで、表示部１２には、印刷実行の有無をユーザに促すメッセージが表示され、このユーザによりキー入力部１１の「実行」キーが操作されると（ステップＡ３）、前記ＲＡＭ８４内の入力データ記憶部に記憶された「タイトル」「コメント」「内容１」〜「内容ｎ」の被印刷データが、光ディスクＤの２つの印刷領域Ａ，Ｂの範囲内で印刷可能であるか否か判断される（ステップＡ４）。つまり、前記入力された被印刷データが「タイトル」「コメント」「内容１」〜「内容４」の範囲に収まっているか、または同範囲を超えているかが判断されるもので、例えば前記入力された被印刷データが「タイトル」「コメント」「内容１」〜「内容４」の範囲に収まっていることで光ディスクＤに印刷可能であると判断されると（ステップＡ４（Ｙｅｓ））、この被印刷データに応じてＲＯＭ８２に予め記憶されている光ディスクＤのみに印刷可能な４種類の印刷フォーマット（１）〜（４）のうちの１つの印刷フォーマットが設定される（ステップＡ５）。
【００９８】
例えば「タイトル」「コメント」「内容１」〜「内容４」が被印刷データとして入力されている場合には、印刷フォーマット（４）が選択されて設定され、この印刷フォーマット（４）のデータおよびフォントＲＯＭ８３に記憶されている文字フォントデータに従って、ディスク印刷用の前記印刷領域Ａ，Ｂに対応させた印刷パターンデータがＲＡＭ８４内の印刷データ記憶部に展開される（ステップＡ６）。
【００９９】
すると、第１のプリンタ部（ディスク用プリンタ部）３の動作が制御されてキャリッジモータ４１、サーマルヘッド３７、トレイ回転モータ３２が駆動され、トレイ２１に載置されている光ディスクＤのレーベル面における印刷領域Ａに対して「タイトル」「コメント」の印刷パターンデータが印刷された後、続いて同光ディスクＤのレーベル面における印刷領域Ｂに対して「内容１」〜「内容４」の印刷が実施される（ステップＡ７）。
【０１００】
一方、前記入力された被印刷データが「タイトル」「コメント」「内容１」〜「内容１２」まであり、「タイトル」「コメント」「内容１」〜「内容４」の範囲に収まっていないことで光ディスクＤのみに印刷不可能であると判断されると（ステップＡ４（Ｎｏ））、光ディスクＤへのレーベル印刷と共にテープ５３への印刷も組み合わせて行うことをユーザに確認させるためのテープ印刷確認メッセージが表示部１２に表示される（ステップＡ８）。
【０１０１】
ここで、表示部１２には、光ディスクＤおよびテープ５３への組み合わせ印刷の実行の有無をユーザに促すメッセージが表示され、このユーザによりキー入力部１１の「実行」キーが操作されると（ステップＡ９）、前記被印刷データに応じてＲＯＭ８２に予め記憶されている光ディスクＤおよびテープ５３に印刷可能な２種類の印刷フォーマット（５）（６）のうちの１つの印刷フォーマットが設定される（ステップＡ１０）。
【０１０２】
例えば「タイトル」「コメント」「内容１」〜「内容１２」が被印刷データとして入力されている場合には、印刷フォーマット（６）が選択されて設定されるもので、この印刷フォーマット（６）のデータおよびフォントＲＯＭ８３に記憶されている文字フォントデータに従って、まず、ディスク印刷用の前記印刷領域Ａ，Ｂに対応させた「タイトル」「コメント」「内容１」〜「内容４」までの印刷パターンデータがＲＡＭ８４内の印刷データ記憶部に展開される（ステップＡ１１）。この際、前記印刷領域Ｂに印刷すべき「内容１」〜「内容４」の印刷パターンデータには、それ以降に「内容５」〜「内容ｎ」が続いていることを表すための（つづく）の文字列Ｍが挿入されて展開される。
【０１０３】
すると、第１のプリンタ部（ディスク用プリンタ部）３の動作が制御されてキャリッジモータ４１、サーマルヘッド３７、トレイ回転モータ３２が駆動され、例えば図８（Ａ）に示すように、トレイ２１に載置されている光ディスクＤのレーベル面における印刷領域Ａに対して「タイトル」「コメント」の印刷パターンデータが印刷された後、続いて同光ディスクＤのレーベル面における印刷領域Ｂに対して（つづく）の文字列Ｍが挿入された「内容１」〜「内容４」の印刷が実施される（ステップＡ１２）。
【０１０４】
またこれに続いて、前記印刷フォーマット（６）のデータおよびフォントＲＯＭ８３に記憶されている文字フォントデータに従って、テープ印刷用の１枚目のラベル５３ａと２枚目のラベル５３ｂに対応させた「内容５」〜「内容８」と「内容９」〜「内容１２」までの印刷パターンデータがＲＡＭ８４内の印刷データ記憶部に展開される（ステップＡ１３）。この際、前記１枚目のラベル５３ａに印刷すべき「内容５」〜「内容８」の印刷パターンデータには、その前の光ディスクＤに印刷された「内容１」〜「内容４」からの第１順位の続きであることを表すための（つづき(1)）の文字列Ｎ１が挿入されて展開され、同様に前記２枚目のラベル５３ｂに印刷すべき「内容９」〜「内容１２」の印刷パターンデータには、その前の光ディスクＤに印刷された「内容１」〜「内容４」からの第２順位の続きであることを表すための（つづき(2)）の文字列Ｎ２が挿入されて展開される。
【０１０５】
すると、第２のプリンタ部（テープ用プリンタ部）４の動作が制御されてテープ搬送モータ８５、サーマルヘッド５６、カッタモータ８６が駆動され、例えば図８（Ｂ）に示すように、１枚目のラベル５３ａに対して（つづき(1)）の文字列Ｎ１が挿入された「内容５」〜「内容８」の印刷パターンデータが印刷された後、続いて同２枚目のラベル５３ｂに対して（つづき(2)）の文字列Ｎ２が挿入された「内容９」〜「内容１２」の印刷が実施される（ステップＡ１４）。
【０１０６】
この場合、図８（Ｂ）で示したように、１枚目のラベル５３ａと２枚目のラベル５３ｂとは、そのラベル印刷の途中において制御部（ＣＰＵ）８１からの制御信号によりカッタモータ８６を駆動制御してフルカットして分離しても良いし、図８（Ｃ）で示すように、切取線ＣＬを印刷してその印刷後においてユーザ自身がハサミなどで切断分離できるようにしても良い。
【０１０７】
一方、前記ステップＡ８における、光ディスクＤおよびテープ５３への組み合わせ印刷の実行の有無をユーザに促すメッセージ表示画面において、ユーザにより組み合わせ印刷をしない指示の操作が為された場合には（ステップＡ９（Ｎｏ））、前記ステップＡ５〜Ａ７と同様のディスク印刷処理が実施される（ステップＡ１５〜Ａ１７）。
【０１０８】
すなわち、ディスク印刷用の被印刷データ「タイトル」「コメント」「内容１」〜「内容４」に応じてＲＯＭ８２に予め記憶されている光ディスクＤのみに印刷可能な４種類の印刷フォーマット（１）〜（４）のうちの１つの印刷フォーマット（４）が選択されて設定され（ステップＡ１５）、この印刷フォーマット（４）のデータおよびフォントＲＯＭ８３に記憶されている文字フォントデータに従って、当該ディスク印刷用の前記印刷領域Ａ，Ｂに対応させた印刷パターンデータがＲＡＭ８４内の印刷データ記憶部に展開される（ステップＡ１６）。
【０１０９】
すると、第１のプリンタ部（ディスク用プリンタ部）３の動作が制御されてキャリッジモータ４１、サーマルヘッド３７、トレイ回転モータ３２が駆動され、例えば図８（Ａ）に示すように、トレイ２１に載置されている光ディスクＤのレーベル面における印刷領域Ａに対して「タイトル」「コメント」の印刷パターンデータが印刷された後、続いて同光ディスクＤのレーベル面における印刷領域Ｂに対して「内容１」〜「内容４」の印刷が実施される（ステップＡ１７）。なおこの場合に、前記印刷領域Ｂに対しては（つづく）の文字列Ｍは挿入されず印刷もされない。
【０１１０】
したがって、前記構成の第１実施形態のプリンタ装置１によるディスク印刷とテープ印刷の組み合わせ印刷制御機能によれば、光ディスクＤのレーベル面における所定の２つの印刷領域Ａ，Ｂに対して印刷しきれない残りの被印刷データについては、当該残りの被印刷データの印刷量に応じたラベル枚数のテープ５３への印刷として印刷出力し、例えば図９に示すように、その１枚目のラベル５３ａと２枚目のラベル５３ｂをそれぞれ前記レーベル印刷した光ディスクＤのディスクケースＤＣに貼り付けて使用することで、当該光ディスクＤに記録された音楽アルバムデータのメインタイトルだけでなく、全ての曲目タイトルについても表記して常時確認できるようになる。
【０１１１】
図９は前記プリンタ装置１の印刷処理により光ディスクＤおよびテープ５３への組み合わせ印刷に伴いテープ印刷された１枚目のラベル５３ａと２枚目のラベル５３ｂをディスクケースＤＣの表面に貼って使用した状態を示す図である。
【０１１２】
また、前記構成の第１実施形態のプリンタ装置１によるディスク印刷とテープ印刷の組み合わせ印刷制御機能によれば、光ディスクＤのレーベル面における印刷領域Ｂに対しては（つづく）の文字列Ｍを挿入して印刷し、また、テープ印刷における１枚目，２枚目，…のラベル５３ａ，５３ｂ，…に対しては、それぞれ（つづき(1)）（つづき(2)）…の文字列Ｎ１，Ｎ２，…を挿入して印刷するようにしたので、光ディスクＤの印刷領域Ｂに印刷された「内容１（曲目タイトル１）」〜「内容４（曲目タイトル４）」に続いてさらに別の「内容ｎ（曲目タイトルｎ）」が存在することを容易に知ることができると共に、ディスクケースＤＣに貼り付けられた１枚目および２枚目のラベル５３ａ，５３ｂに印刷された「内容５（曲目タイトル５）」〜「内容１２（曲目タイトル１２）」がそれよりも前の「内容１（曲目タイトル１）」〜「内容４（曲目タイトル４）」の続きであることを容易に知ることができる。
【０１１３】
なお、前記実施形態では、光ディスクＤに記録される電子データに関連した「タイトル」「コメント」「内容１」〜「内容ｎ」の被印刷データについて、当該光ディスクＤのレーベル面における所定の２つの印刷領域Ａ，Ｂに印刷しきれない被印刷データについては、テープ印刷を組み合わせて１枚目のラベル５３ａ、２枚目のラベル５３ｂ、…として順次印刷し、その全体をディスクレーベル面およびテープ５３に印刷して表記できる構成としたが、光ディスクＤのレーベル面における所定の２つの印刷領域Ａ，Ｂに印刷しきれない被印刷データがある場合には、当該光ディスクＤの所定の２つの印刷領域Ａ，Ｂに対する印刷可能な範囲でのレーベル印刷とは別に、「タイトル」「コメント」「内容１」〜「内容ｎ」の全ての被印刷データについて改めてテープ印刷し、例えば図１０に示すように、１枚目のラベル５３ａには「タイトル」「コメント」、２枚目のラベル５３ｂには「内容１」〜「内容４」、３枚目のラベル５３ｃには「内容５」〜「内容８」、４枚目のラベル５３ｄには「内容９」〜「内容１２」として順次テープ印刷し、これをディスクケースＤＣに貼り付けて使用しても良い。
【０１１４】
図１０は前記プリンタ装置１により光ディスクＤおよびテープ５３への組み合わせ印刷に伴い全印刷データがテープ印刷された１枚目〜４枚目のラベル５３ａ〜５３ｄをディスクケースＤＣの表面に貼って使用した状態を示す図である。
【０１１５】
これによれば、光ディスクＤのレーベル印刷だけでは、当該光ディスクＤに記録されたデータ内容の１部しか知ることが出来ない場合であっても、そのディスクジャケットＤＣに貼り付けた４枚のラベル５３ａ〜５３ｄを見るだけで、「タイトル」「コメント」から全ての曲目タイトルまでの全てのデータ内容を容易に知ることができる。
【０１１６】
また、前記実施形態で説明したように、光ディスクＤのレーベル面における所定の２つの印刷領域Ａ，Ｂに印刷しきれない被印刷データについて、テープ印刷を組み合わせて１枚目のラベル５３ａ、２枚目のラベル５３ｂとして順次印刷した場合には、前記光ディスクＤの印刷領域Ａに印刷した「タイトル」部分の被印刷データについてのみ、さらに３枚目のラベル５３ｃに追加でテープ印刷する。そして、例えば図１１に示すように、「タイトル」部分を印刷した３枚目のラベル５３ｃと共に前記１枚目のラベル５３ａと２枚目のラベル５３ｂをディスクケースＤＣに貼り付けて使用することで、光ディスクＤに対する記録データのタイトルと共に、該ディスクレーベルには印刷表記しきれていない各データ内容（曲目タイトルｎ）を容易に確認できるようになる。
【０１１７】
図１１は前記プリンタ装置１により光ディスクＤおよびテープ５３への組み合わせ印刷に伴い該光ディスクＤにレーベル印刷しきれずにテープ印刷された「内容５」〜「内容１２」を印刷した１枚目のラベル５３ａと２枚目のラベル５３ｂおよび「タイトル」を追加でテープ印刷した３枚目のラベル５３ｃをディスクケースＤＣの表面に貼って使用した状態を示す図である。
【０１１８】
なお、光ディスクＤおよびテープ５３には、（つづく）の文字列Ｍや（つづき(1)）（つづき(2)）の文字列Ｎ１，Ｎ２を印刷したが、これらの文字列の代わりに矢印などの記号やマークを用いて連続性があることを表現するようにしてもよい。  ところで、前記第１実施形態のプリンタ装置では、第１のプリンタ部（ディスク用プリンタ部）３と第２のプリンタ部（テープ用プリンタ部）４とをそれぞれ独立した印刷機構として設ける構成したが、次の第２実施形態のプリンタ装置で説明するように、ディスク用プリンタ部とテープ用プリンタ部とを共用にしたプリンタ部４′によって、光ディスクＤに対するレーベル印刷とテープ５３に対するラベル印刷とを適宜切り換えて実施する構成としても良い。
【０１１９】
（第２実施形態）
図１２は本発明の第２実施形態に係るプリンタ装置が備えるディスク／テープ共用プリンタ部４′の要部構成を示す図である。このプリンタ装置は単一のプリンタ機構により光ディスクの表面に直接印刷を行う機能と印刷テープへの印刷機能とを有している。
【０１２０】
このディスク／テープ共用プリンタ部４′の共用プリンタ機構５５′は、ディスク印刷用のリボンカートリッジ４３とテープ印刷用のテープカートリッジ５１とが着脱自在に装着されるカートリッジ装着部５０′を備える。そして、このカートリッジ装着部５０′に装着されるリボンカートリッジ４３のインクリボン露出用の切欠き位置、テープカートリッジ５１のテープおよびインクリボン露出用の切欠き位置に対応して、共用サーマルヘッド５６′が配設され、この共用サーマルヘッド５６′の発熱素子面に対向してディスク印刷時には光ディスクＤをスライド移動させ、またテープ印刷時にはテープ５３を搬送移動させるための共用プラテンローラ５７′が設けられる。
【０１２１】
この共用プラテンローラ５７′による光ディスクＤの一方のスライド移動方向には、そのスライド動作を許容するディスク移動溝６４ａが設けられ、また、テープ５３の排出する方向にはテープ排出／ディスク共用溝６４ｂが設けられる。
【０１２２】
そして、この共用プリンタ機構５５′において、リボンカートリッジ４３の装着状態では、前記共用プラテンローラ５７′との間に光ディスクＤを挿入セットして当該光ディスクＤの所定の印刷領域ＡまたはＢにレーベル印刷を実施し、また、テープカートリッジ５１の装着状態では、前記共用プラテンローラ５７′との間にテープ５３およびインクリボン５２を介在させて当該テープ５３へテープ印刷を実施する。
【０１２３】
なお、この共用プリンタ機構５５′においても、そのテープ排出／ディスク共用溝６４ｂの溝位置に対応させて、全切断カッタ６５およびハーフカッタ６８を設けてある。
【０１２４】
図１３は本第２実施形態に係るプリンタ装置の電気回路の構成を示すブロック図である。
【０１２５】
この第２実施形態のプリンタ装置の電気回路において、前記図６で示した第１実施形態のプリンタ装置の電気回路と同一の構成部分については、同一の符号を付してその説明を省略する。
【０１２６】
すなわち、この第２実施形態のプリンタ装置では、共用プリンタ機構５５′における共用プラテンローラ５７′を回転させるためのディスク／テープ共用搬送モータ８５′、共用サーマルヘッド５６′、そしてカッタモータ８６が、それぞれ各対応するドライバ回路５６Ｄ′，８５Ｄ′，８６Ｄを介して制御部（ＣＰＵ）８１に接続される。
【０１２７】
図１４は前記第２実施形態のプリンタ装置による印刷処理を示すフローチャートである。
【０１２８】
この第２実施形態のプリンタ装置による印刷処理において、前記図７で示した第１実施形態のプリンタ装置による印刷処理と同一の処理ステップについては、記号がＡとＢとで異なるだけの同一のステップ番号を付してその説明を省略する。
【０１２９】
そして、この第２実施形態のプリンタ装置による印刷処理では、ディスク印刷を行うときにはディスク／テープ共用プリンタ部４′がディスク用プリンタ部として動作し、テープ印刷を行うときには同ディスク／テープ共用プリンタ部４′がテープ用プリンタ部として動作する。
【０１３０】
すなわち、ディスク／テープ共用プリンタ部４′を設けて構成した第２実施形態のプリンタ装置による印刷処理において、そのステップＢ１〜Ｂ１７の処理は、前記第１実施形態のプリンタ装置による印刷処理でのステップＡ１〜Ａ１７の処理と同様である。そして、同処理ステップＢ１〜Ｂ１７の中で、そのステップＢ１２とＢ１３との間に新たな処理ステップＢ１２１とＢ１２２が加えられる点で異なっている。
【０１３１】
ここで、本第２実施形態の印刷処理において前記第１実施形態のそれと異なる処理ステップＢ１２１とＢ１２２を含んでいるステップＢ８〜Ｂ１４の一連の処理について説明する。
【０１３２】
入力された被印刷データが「タイトル」「コメント」「内容１」〜「内容１２」まであり、「タイトル」「コメント」「内容１」〜「内容４」の範囲に収まっていないことで光ディスクＤのみに印刷不可能であると判断された場合には（ステップＢ４（Ｎｏ））、光ディスクＤへのレーベル印刷と共にテープ５３への印刷も組み合わせて行うことをユーザに確認させるためのテープ印刷確認メッセージが表示部１２に表示される（ステップＢ８）。
【０１３３】
ここで、表示部１２には、光ディスクＤおよびテープ５３への組み合わせ印刷の実行の有無をユーザに促すメッセージが表示され、このユーザによりキー入力部１１の「実行」キーが操作されると（ステップＢ９）、前記被印刷データに応じてＲＯＭ８２に予め記憶されている光ディスクＤおよびテープ５３に印刷可能な２種類の印刷フォーマット（５）（６）のうちの１つの印刷フォーマットが設定される（ステップＢ１０）。
【０１３４】
例えば「タイトル」「コメント」「内容１」〜「内容１２」が被印刷データとして入力されている場合には、印刷フォーマット（６）が選択されて設定されるもので、この印刷フォーマット（６）のデータおよびフォントＲＯＭ８３に記憶されている文字フォントデータに従って、まず、ディスク印刷用の前記印刷領域Ａ，Ｂに対応させた「タイトル」「コメント」「内容１」〜「内容４」までの印刷パターンデータがＲＡＭ８４内の印刷データ記憶部に展開される（ステップＢ１１）。この際、前記印刷領域Ｂに印刷すべき「内容１」〜「内容４」の印刷パターンデータには、それ以降に「内容５」〜「内容ｎ」が続いていることを表すための（つづく）の文字列Ｍが挿入されて展開される。
【０１３５】
すると、ここではリボンカートリッジ４３が装着されてディスク用プリンタ部として機能するディスク／テープ共用プリンタ部４′の動作が制御されてディスク／テープ共用搬送モータ８５′、共用サーマルヘッド５６′が駆動され、共用サーマルヘッド５６′と共用プラテンローラ５７′との間でディスク移動溝６４ａからテープ排出／ディスク共用溝６４ｂに対応させて配置された光ディスクＤの印刷領域Ａに対して、例えば図８（Ａ）に示すように、「タイトル」「コメント」の印刷パターンデータが印刷された後、続いて同光ディスクＤの印刷領域Ｂに対して（つづく）の文字列Ｍが挿入された「内容１」〜「内容４」の印刷が実施される（ステップＢ１２）。
【０１３６】
なお、このステップＢ１２におけるディスク印刷の動作制御処理では、共用サーマルヘッド５６′による印字位置に予めその印刷領域Ａの印刷開始位置を合わせて配置した光ディスクＤの当該印刷領域Ａへの印刷が終わった時点で、同印字位置に印刷領域Ｂの印刷開始位置を合わせて光ディスクＤを配置し直させるためのメッセージが表示され、ユーザによる当該光ディスクＤの配置のし直しが行われた後にその印刷領域Ｂへの印刷が実施される。このディスク印刷時における光ディスクＤの印刷位置の配置のし直しメッセージ表示については、ステップＢ７、ステップＢ１７においても同様に行われる。
【０１３７】
こうして、光ディスクＤのレーベル面における印刷領域ＡおよびＢに対する「タイトル」「コメント」「内容１」〜「内容４」の印刷が実施されると、当該光ディスクＤを共用プリンタ機構５５′から取り出して、カートリッジ装着部５０′に装着されたリボンカートリッジ４３とテープカートリッジ５１との交換を促すガイドメッセージが表示部１２に表示される（ステップＢ１２１）。
【０１３８】
そして、ユーザ作業によって前記光ディスクＤの取り出しとテープカートリッジ５１への交換を行った後に、キー入力部１１の実行キーが操作されてテープ印刷の開始が指示されると（ステップＢ１２２）、続いて、前記印刷フォーマット（６）のデータおよびフォントＲＯＭ８３に記憶されている文字フォントデータに従って、テープ印刷用の１枚目のラベル５３ａと２枚目のラベル５３ｂに対応させた「内容５」〜「内容８」と「内容９」〜「内容１２」までの印刷パターンデータがＲＡＭ８４内の印刷データ記憶部に展開される（ステップＢ１３）。この際、前記１枚目のラベル５３ａに印刷すべき「内容５」〜「内容８」の印刷パターンデータには、その前の光ディスクＤに印刷された「内容１」〜「内容４」からの第１順位の続きであることを表すための（つづき(1)）の文字列Ｎ１が挿入されて展開され、同様に前記２枚目のラベル５３ｂに印刷すべき「内容９」〜「内容１２」の印刷パターンデータには、その前の光ディスクＤに印刷された「内容１」〜「内容４」からの第２順位の続きであることを表すための（つづき(2)）の文字列Ｎ２が挿入されて展開される。
【０１３９】
すると、ここではテープカートリッジ５１が装着されてテープ用プリンタ部として機能するディスク／テープ共用プリンタ部４′の動作が制御されてディスク／テープ共用搬送モータ８５′、共用サーマルヘッド５６′、カッタモータ８６が駆動され、例えば図８（Ｂ）に示すように、１枚目のラベル５３ａに対して（つづき(1)）の文字列Ｎ１が挿入された「内容５」〜「内容８」の印刷パターンデータが印刷された後、続いて同２枚目のラベル５３ｂに対して（つづき(2)）の文字列Ｎ２が挿入された「内容９」〜「内容１２」の印刷が実施される（ステップＢ１４）。
【０１４０】
したがって、前記構成のディスク／テープ共用プリンタ部４′を設けて構成した第２実施形態のプリンタ装置によるディスク印刷とテープ印刷の組み合わせ印刷制御機能によれば、前記第１実施形態と同様に、光ディスクＤのレーベル面における所定の２つの印刷領域Ａ，Ｂに対して印刷しきれない残りの被印刷データについては、当該残りの被印刷データの印刷量に応じたラベル枚数のテープ５３への印刷として印刷出力し、例えば図９で示したように、その１枚目のラベル５３と２枚目のラベル５３ｂをそれぞれ前記レーベル印刷した光ディスクＤのディスクケースＤＣに貼り付けて使用することで、当該光ディスクＤに記録された音楽アルバムデータのメインタイトルだけでなく、全ての曲目タイトルについても表記して常時確認できるようになる。
【０１４１】
しかも、この第２実施形態のプリンタ装置によれば、ディスク／テープ共用プリンタ部４′としているので、ディスク用プリンタ部３とテープ用プリンタ部４とを独立して設けた前記第１実施形態のプリンタ装置１に比較して構成が簡素化し、より安価で小型なプリンタ装置を実現できる。
【０１４２】
なお、前記各実施形態において、入力された印刷データ「タイトル」「コメント」「内容１」〜「内容ｎ」に応じて選択設定される印刷フォーマットのデータを、所定の印刷領域を１単位とする印刷フォーマット毎にユーザ任意の選択操作によって光ディスクＤ上の所定の印刷領域Ａ，Ｂに対して印刷するか、テープ５３の所定の長さ毎のラベル５３ａ，５３ｂ，…に印刷するかを適宜組み合わせて設定できるようにし、例えば「タイトル」「コメント」のみを光ディスクＤ上の印刷領域ＡまたはＢ上に印刷し、それ以外の「内容１」〜「内容ｎ」は全て複数枚のラベル５３ａ，５３ｂ，…に印刷したり、あるいは全ての印刷データが光ディスクＤ上の印刷領域Ａ，Ｂに収まる場合であっても、当該ディスク印刷以外にテープ印刷でも全ての印刷データを追加で印刷し、光ディスクＤでのレーベル表記と共にディスクケースＤＣにも貼り付けて表記したりするなどしても良い。
【０１４３】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【０１４４】
【図１】本発明の第１の実施形態に係る第１のプリンタ部（ディスク用プリンタ部）３と第２のプリンタ部（テープ用プリンタ部）４を備えるプリンタ装置１の外観構成を示す斜視図。
【図２】前記プリンタ装置１の外観構成を示す側面図。
【図３】前記プリンタ装置１の筐体２内に設けられた第１のプリンタ部（ディスク用プリンタ部）３の主要部の構成を示す正面図。
【図４】前記プリンタ装置１の筐体２内に設けられた第１のプリンタ部（ディスク用プリンタ部）３の主要部の構成を示す側面図。
【図５】前記プリンタ装置１の背面側に設けられテープに印刷を行なう第２のプリンタ部（テープ用プリンタ部）４の構成を示す正面図。
【図６】前記第１実施形態に係るプリンタ装置１の電気回路の構成を示すブロック図。
【図７】前記第１実施形態のプリンタ装置１による印刷処理を示すフローチャート。
【図８】前記プリンタ装置１の印刷処理に伴う光ディスクＤに対する印刷状態およびテープ５３に対する印刷状態を示す図。
【図９】前記プリンタ装置１の印刷処理により光ディスクＤおよびテープ５３への組み合わせ印刷に伴いテープ印刷された１枚目のラベル５３ａと２枚目のラベル５３ｂをディスクケースＤＣの表面に貼って使用した状態を示す図。
【図１０】前記プリンタ装置１により光ディスクＤおよびテープ５３への組み合わせ印刷に伴い全印刷データがテープ印刷された１枚目〜４枚目のラベル５３ａ〜５３ｄをディスクケースＤＣの表面に貼って使用した状態を示す図。
【図１１】前記プリンタ装置１により光ディスクＤおよびテープ５３への組み合わせ印刷に伴い該光ディスクＤにレーベル印刷しきれずにテープ印刷された「内容５」〜「内容１２」を印刷した１枚目のラベル５３ａと２枚目のラベル５３ｂおよび「タイトル」を追加でテープ印刷した３枚目のラベル５３ｃをディスクケースＤＣの表面に貼って使用した状態を示す図。
【図１２】本発明の第２実施形態に係るプリンタ装置が備えるディスク／テープ共用プリンタ部４′の要部構成を示す図。
【図１３】前記第２実施形態に係るプリンタ装置の電気回路の構成を示すブロック図。
【図１４】前記第２実施形態のプリンタ装置による印刷処理を示すフローチャート。
【符号の説明】
【０１４５】
１  …プリンタ装置
２  …筐体
３  …第１のプリンタ部（ディスク用プリンタ部）
４  …第２のプリンタ部（テープ用プリンタ部）
４′…ディスク／テープ共用プリンタ部
１０  …キーボード
１１  …キー入力部
１２  …液晶表示部
２０  …ベース
２１  …トレイ
２２  …トレイ本体
２３  …回転軸
２４  …回転台
２５  …緩衝材シート
２６  …ディスク係合爪
２７  …案内レール
３１  …トレイ移動モータ
３２  …トレイ回転モータ
３４  …回転角度検出部
３５  …プリンタ機構
３６  …プリンタフレーム
３７  …サーマルヘッド（ディスク印刷用）
３８  …キャリッジ
３９  …ガイドシャフト
４１  …キャリッジモータ
４２  …リボン巻取軸
４３  …リボンカートリッジ
５０  …テープカートリッジ装填部
５０′…カートリッジ装着部
５１  …テープカートリッジ
５２  …インクリボン
５３  …熱転写用印刷テープ
５３ａ〜５３ｄ…１枚目ラベル〜４枚目ラベル
５５  …テーププリンタ機構
５５′…共用プリンタ機構
５６  …サーマルヘッド（テープ印刷用）
５６′…共用サーマルヘッド
５７  …プラテンローラ
５７′…共用プラテンローラ
５８  …リボン巻取軸
６３  …テープ搬送路
６４  …テープ排出口
６４ａ…ディスク移動溝
６４ｂ…テープ排出／ディスク共用溝
６５  …全切断カッタ
６８  …ハーフカッタ
８１  …制御部（ＣＰＵ）
８２  …ＲＯＭ
８３  …フォントＲＯＭ
８４  …ＲＡＭ
８５  …テープ搬送モータ
８５′…ディスク／テープ共用搬送モータ
８６  …カッタモータ
Ｄ  …光ディスク
Ｐ  …プレ印刷部分
Ａ  …所定の第１印刷領域
Ｂ  …所定の第２印刷領域
Ｍ  …（つづく）の文字列
Ｎ１…（つづき(1)）の文字列
Ｎ２…（つづき(2)）の文字列
ＣＬ…切取線
ＤＣ…ディスクケース
【図１】
2006110850.tif 000003
【図２】
2006110850.tif 000004
【図３】
2006110850.tif 000005
【図４】
2006110850.tif 000006
【図５】
2006110850.tif 000007
【図６】
2006110850.tif 000008
【図７】
2006110850.tif 000009
【図８】
2006110850.tif 000010
【図９】
2006110850.tif 000011
【図１０】
2006110850.tif 000012
【図１１】
2006110850.tif 000013
【図１２】
2006110850.tif 000014
【図１３】
2006110850.tif 000015
【図１４】
2006110850.tif 000016